(57)【要約】【課題】主走査方向における感光体劣化の均一化を図り、ひいては感光体の利用効率を改善することが可能な画像形成装置およびそれに関連する技術を提供する。【解決手段】いわゆる電子写真方式の画像形成装置は、感光体の主走査方向（ｘ方向）における各単位範囲（画素幅あるいは区分範囲等）での露光量積算値をそれぞれ取得し、当該露光量積算値に基づいて主走査方向における各単位範囲での露光量に関する基準値を算出する。そして、画像形成装置は、基準値と各単位範囲での露光量積算値との関係に基づいて、現在のジョブにおける感光体の各単位範囲に対する露光量を制御する。感光体の主走査方向における複数の単位範囲のうち、基準値よりも大きな露光量積算値を有する少なくとも１つの単位範囲に関して、現在のジョブに関する露光量の低減処理が実行される。【選択図】図５
2019008197.tif 000002
【特許請求の範囲】
【請求項１】
感光体への露光処理によって潜像を形成し前記潜像を現像して画像を形成する画像形成装置であって、
前記感光体の主走査方向における各単位範囲での露光量積算値をそれぞれ取得する取得手段と、
前記露光量積算値に基づいて、前記主走査方向における前記各単位範囲での前記露光量積算値に関する基準値を算出する算出手段と、
前記基準値と前記各単位範囲での前記露光量積算値との関係に基づいて、現在のジョブにおける前記感光体の前記各単位範囲に対する露光量を制御する露光制御手段と、
を備え、
前記露光制御手段は、前記感光体の前記主走査方向における複数の単位範囲のうち、前記基準値よりも大きな前記露光量積算値を有する少なくとも１つの単位範囲に関して、前記現在のジョブに関する露光量の低減処理を実行することを特徴とする画像形成装置。
【請求項２】
請求項１に記載の画像形成装置において、
前記露光制御手段は、前記各単位範囲での前記露光量積算値が前記基準値に対して大きくなるにつれて、前記現在のジョブにおける前記感光体の前記各単位範囲に対する露光量の低減の度合いを大きくすることを特徴とする画像形成装置。
【請求項３】
請求項１に記載の画像形成装置において、
前記各単位範囲は、前記主走査方向における各画素の画素幅に対応する範囲であることを特徴とする画像形成装置。
【請求項４】
請求項３に記載の画像形成装置において、
前記各単位範囲は、ハーフトーン処理前の各画素の画素幅に対応する範囲、あるいはハーフトーン処理後の各画素の画素幅に対応する範囲であることを特徴とする画像形成装置。
【請求項５】
請求項１に記載の画像形成装置において、
前記各単位範囲は、前記感光体の前記主走査方向が複数の範囲に区分されて形成された各区分範囲であることを特徴とする画像形成装置。
【請求項６】
請求項５に記載の画像形成装置において、
前記主走査方向を前記複数の範囲に区分する際の区分数を設定する区分数設定手段、
をさらに備えることを特徴とする画像形成装置。
【請求項７】
請求項１から請求項６のいずれかに記載の画像形成装置において、
前記基準値は、前記複数の単位範囲に関する複数の露光量積算値の平均値であることを特徴とする画像形成装置。
【請求項８】
請求項１から請求項６のいずれかに記載の画像形成装置において、
前記基準値は、前記複数の単位範囲に関する複数の露光量積算値の中央値であることを特徴とする画像形成装置。
【請求項９】
請求項１から請求項８のいずれかに記載の画像形成装置において、
前記露光制御手段は、前記現在のジョブにおける各画素のハーフトーン処理による二値化後の各ドットのドットサイズを標準サイズよりも小さな値に変更することによって、前記現在のジョブにおける前記感光体の前記少なくとも１つの単位範囲に対する前記露光量の低減処理を実行することを特徴とする画像形成装置。
【請求項１０】
請求項９に記載の画像形成装置において、
前記露光制御手段は、露光部に対するＰＷＭ制御におけるデューティ比を標準値に対して変更することによって、前記現在のジョブにおける前記二値化後の前記各ドットのドットサイズを前記標準サイズよりも小さな値に変更することを特徴とする画像形成装置。
【請求項１１】
請求項９に記載の画像形成装置において、
前記露光制御手段は、露光部の光出力強度を標準値に対して変更することによって、前記現在のジョブにおける前記二値化後の前記各ドットのドットサイズを前記標準サイズよりも小さな値に変更することを特徴とする画像形成装置。
【請求項１２】
請求項１から請求項１１のいずれかに記載の画像形成装置において、
前記各単位範囲での前記露光量積算値は、ジョブが完了するたびに更新され、
前記取得手段は、前記感光体の前記主走査方向における前記各単位範囲での前記露光量積算値として、前記現在のジョブの直前のジョブまでの前記各単位範囲での前記露光量積算値を取得することを特徴とする画像形成装置。
【請求項１３】
請求項１から請求項１１のいずれかに記載の画像形成装置において、
前記各単位範囲での前記露光量積算値は、各ジョブにおける各ページの出力が完了するたびに更新され、
前記取得手段は、前記感光体の前記主走査方向における前記各単位範囲での前記露光量積算値として、前記現在のジョブにおける現在のページの直前のページまでの前記各単位範囲での前記露光量積算値を取得することを特徴とする画像形成装置。
【請求項１４】
請求項１から請求項１１のいずれかに記載の画像形成装置において、
前記露光量積算値をジョブ単位で更新する第１の設定内容と前記露光量積算値をページ単位で更新する第２の設定内容とを含む複数の設定内容を設定することが可能な積算単位設定手段、
をさらに備えることを特徴とする画像形成装置。
【請求項１５】
請求項１から請求項１４のいずれかに記載の画像形成装置において、
前記現在のジョブに関して設定されている印刷画質を取得することが可能な画質取得手段、
をさらに備え、
前記露光制御手段は、
前記現在のジョブに関して設定されている前記印刷画質が所定程度よりも高い場合には、前記基準値よりも大きな前記露光量積算値を有する前記少なくとも１つの単位範囲に関しても前記露光量の前記低減処理を実行しないことを特徴とする画像形成装置。
【請求項１６】
請求項１から請求項１４のいずれかに記載の画像形成装置において、
前記現在のジョブに関して設定されている印刷画質を取得することが可能な画質取得手段、
をさらに備え、
前記露光制御手段は、
前記現在のジョブに関して設定されている前記印刷画質が第１の画質に設定されている場合には、前記現在のジョブにおける前記感光体の前記少なくとも１つの単位範囲に対する露光量を低減する際における露光量変更率の下限値を第１の値に設定し、
前記現在のジョブに関して設定されている前記印刷画質が前記第１の画質よりも高い画質である第２の画質に設定されている場合には、前記下限値を前記第１の値よりも高い値である第２の値に設定することを特徴とする画像形成装置。
【請求項１７】
感光体への露光処理によって潜像を形成し前記潜像を現像して画像を形成する画像形成方法であって、
ａ）前記感光体の主走査方向における各単位範囲での露光量積算値をそれぞれ取得するステップと、
ｂ）前記露光量積算値に基づいて、前記主走査方向における前記各単位範囲での前記露光量積算値に関する基準値を算出するステップと、
ｃ）前記基準値と前記各単位範囲での前記露光量積算値との関係に基づいて、現在のジョブにおける前記感光体の前記各単位範囲に対する露光量を制御するステップと、
を備え、
前記ステップｃ）においては、前記感光体の前記主走査方向における複数の単位範囲のうち、前記基準値よりも大きな前記露光量積算値を有する少なくとも１つの単位範囲に関して、前記現在のジョブに関する露光量の低減処理が実行されることを特徴とする画像形成方法。
【請求項１８】
コンピュータに、
ａ）画像形成装置の感光体の主走査方向における各単位範囲での露光量積算値をそれぞれ取得するステップと、
ｂ）前記露光量積算値に基づいて、前記主走査方向における前記各単位範囲での露光量に関する基準値を算出するステップと、
ｃ）前記基準値と前記各単位範囲での前記露光量積算値との関係に基づいて、現在のジョブにおける前記感光体の前記各単位範囲に対する露光量を制御するステップと、
を実行させるためのプログラムであって、
前記ステップｃ）においては、前記感光体の前記主走査方向における複数の単位範囲のうち、前記基準値よりも大きな前記露光量積算値を有する少なくとも１つの単位範囲に関して、前記現在のジョブに関する露光量の低減処理が実行されることを特徴とするプログラム。
【発明の詳細な説明】
【技術分野】
【０００１】
本発明は、ＭＦＰ（マルチ・ファンクション・ペリフェラル（Multi-Functional Peripheral））などの画像形成装置およびそれに関連する技術に関する。
【背景技術】
【０００２】
感光体への露光処理によって潜像を形成し当該潜像に基づき画像を形成する画像形成装置（いわゆる電子写真方式の画像形成装置）（ＭＦＰ等）においては、感光体の寿命による画質劣化が生じ得る。
【０００３】
これに対して、従来においては、当該画質劣化を抑制あるいは回避して一定の画質性能を維持するため、当該感光体を定期的に交換することが行われている。より詳細には、印刷枚数等（たとえば、感光体の使用回数、および感光体の通過電気エネルギー等）に基づく指標値が所定値（画質劣化を生じない程度に予め定められた閾値）に到達すると、当該感光体の交換がサービスマン等によって行われる。
【先行技術文献】
【特許文献】
【０００４】
【特許文献１】特開２００６−５１１１９号公報
【発明の概要】
【発明が解決しようとする課題】
【０００５】
しかしながら、実際の画像形成装置においては、感光体全面が均一に露光されるとは限らず、感光体の主走査方向において露光量が偏在することもある。そのため、感光体の主走査方向における或る部分では、上記指標値が上記閾値（寿命閾値とも称する）に実質的に到達しているに等しい状況であるとしても、感光体の主走査方向における他の部分では、上記指標値が上記閾値（寿命閾値）に未だ到達していないこともあり得る。
【０００６】
上述のような従来技術においては、このような状況は考慮されておらず、このような状況でも感光体の画像不良が発生しないように、必要以上に十分な余裕を持たせて寿命管理が行われていた。その場合、感光体の交換頻度が非常に多くなり、感光体の利用効率が低下する（および／または感光体の交換のためのサービスマンの労務コストが増大する）などの問題が生じ得る。
【０００７】
そこで、この発明は、主走査方向における感光体劣化の均一化を図り、ひいては感光体の利用効率を改善することが可能な画像形成装置およびそれに関連する技術を提供することを課題とする。
【０００８】
なお、特許文献１には、感光体上の露光量の分布が均一化されるように露光画像の向きを変更する技術が示されている。しかしながら、当該特許文献１の技術においては、変更後の回転方向（変更後の用紙向き）に応じた用紙設定を予め行っておくことを要する、あるいは、変更後の用紙向きを有する用紙を収容可能な用紙トレイを利用することを要するなどの制約が生じる。このような制約を受けることは好ましくない。
【課題を解決するための手段】
【０００９】
上記課題を解決すべく、請求項１の発明は、感光体への露光処理によって潜像を形成し前記潜像を現像して画像を形成する画像形成装置であって、前記感光体の主走査方向における各単位範囲での露光量積算値をそれぞれ取得する取得手段と、前記露光量積算値に基づいて、前記主走査方向における前記各単位範囲での前記露光量積算値に関する基準値を算出する算出手段と、前記基準値と前記各単位範囲での前記露光量積算値との関係に基づいて、現在のジョブにおける前記感光体の前記各単位範囲に対する露光量を制御する露光制御手段と、を備え、前記露光制御手段は、前記感光体の前記主走査方向における複数の単位範囲のうち、前記基準値よりも大きな前記露光量積算値を有する少なくとも１つの単位範囲に関して、前記現在のジョブに関する露光量の低減処理を実行することを特徴とする。
【００１０】
請求項２の発明は、請求項１の発明に係る画像形成装置において、前記露光制御手段は、前記各単位範囲での前記露光量積算値が前記基準値に対して大きくなるにつれて、前記現在のジョブにおける前記感光体の前記各単位範囲に対する露光量の低減の度合いを大きくすることを特徴とする。
【００１１】
請求項３の発明は、請求項１の発明に係る画像形成装置において、前記各単位範囲は、前記主走査方向における各画素の画素幅に対応する範囲であることを特徴とする。
【００１２】
請求項４の発明は、請求項３の発明に係る画像形成装置において、前記各単位範囲は、ハーフトーン処理前の各画素の画素幅に対応する範囲、あるいはハーフトーン処理後の各画素の画素幅に対応する範囲であることを特徴とする。
【００１３】
請求項５の発明は、請求項１の発明に係る画像形成装置において、前記各単位範囲は、前記感光体の前記主走査方向が複数の範囲に区分されて形成された各区分範囲であることを特徴とする。
【００１４】
請求項６の発明は、請求項５の発明に係る画像形成装置において、前記主走査方向を前記複数の範囲に区分する際の区分数を設定する区分数設定手段、をさらに備えることを特徴とする。
【００１５】
請求項７の発明は、請求項１から請求項６のいずれかの発明に係る画像形成装置において、前記基準値は、前記複数の単位範囲に関する複数の露光量積算値の平均値であることを特徴とする。
【００１６】
請求項８の発明は、請求項１から請求項６のいずれかの発明に係る画像形成装置において、前記基準値は、前記複数の単位範囲に関する複数の露光量積算値の中央値であることを特徴とする。
【００１７】
請求項９の発明は、請求項１から請求項８のいずれかの発明に係る画像形成装置において、前記露光制御手段は、前記現在のジョブにおける各画素のハーフトーン処理による二値化後の各ドットのドットサイズを標準サイズよりも小さな値に変更することによって、前記現在のジョブにおける前記感光体の前記少なくとも１つの単位範囲に対する前記露光量の低減処理を実行することを特徴とする。
【００１８】
請求項１０の発明は、請求項９の発明に係る画像形成装置において、前記露光制御手段は、露光部に対するＰＷＭ制御におけるデューティ比を標準値に対して変更することによって、前記現在のジョブにおける前記二値化後の前記各ドットのドットサイズを前記標準サイズよりも小さな値に変更することを特徴とする。
【００１９】
請求項１１の発明は、請求項９の発明に係る画像形成装置において、前記露光制御手段は、露光部の光出力強度を標準値に対して変更することによって、前記現在のジョブにおける前記二値化後の前記各ドットのドットサイズを前記標準サイズよりも小さな値に変更することを特徴とする。
【００２０】
請求項１２の発明は、請求項１から請求項１１のいずれかの発明に係る画像形成装置において、前記各単位範囲での前記露光量積算値は、ジョブが完了するたびに更新され、前記取得手段は、前記感光体の前記主走査方向における前記各単位範囲での前記露光量積算値として、前記現在のジョブの直前のジョブまでの前記各単位範囲での前記露光量積算値を取得することを特徴とする。
【００２１】
請求項１３の発明は、請求項１から請求項１１のいずれかの発明に係る画像形成装置において、前記各単位範囲での前記露光量積算値は、各ジョブにおける各ページの出力が完了するたびに更新され、前記取得手段は、前記感光体の前記主走査方向における前記各単位範囲での前記露光量積算値として、前記現在のジョブにおける現在のページの直前のページまでの前記各単位範囲での前記露光量積算値を取得することを特徴とする。
【００２２】
請求項１４の発明は、請求項１から請求項１１のいずれかの発明に係る画像形成装置において、前記露光量積算値をジョブ単位で更新する第１の設定内容と前記露光量積算値をページ単位で更新する第２の設定内容とを含む複数の設定内容を設定することが可能な積算単位設定手段、をさらに備えることを特徴とする。
【００２３】
請求項１５の発明は、請求項１から請求項１４のいずれかの発明に係る画像形成装置において、前記現在のジョブに関して設定されている印刷画質を取得することが可能な画質取得手段、をさらに備え、前記露光制御手段は、前記現在のジョブに関して設定されている前記印刷画質が所定程度よりも高い場合には、前記基準値よりも大きな前記露光量積算値を有する前記少なくとも１つの単位範囲に関しても前記露光量の前記低減処理を実行しないことを特徴とする。
【００２４】
請求項１６の発明は、請求項１から請求項１４のいずれかの発明に係る画像形成装置において、前記現在のジョブに関して設定されている印刷画質を取得することが可能な画質取得手段、をさらに備え、前記露光制御手段は、前記現在のジョブに関して設定されている前記印刷画質が第１の画質に設定されている場合には、前記現在のジョブにおける前記感光体の前記少なくとも１つの単位範囲に対する露光量を低減する際における露光量変更率の下限値を第１の値に設定し、前記現在のジョブに関して設定されている前記印刷画質が前記第１の画質よりも高い画質である第２の画質に設定されている場合には、前記下限値を前記第１の値よりも高い値である第２の値に設定することを特徴とする。
【００２５】
請求項１７の発明は、感光体への露光処理によって潜像を形成し前記潜像を現像して画像を形成する画像形成方法であって、ａ）前記感光体の主走査方向における各単位範囲での露光量積算値をそれぞれ取得するステップと、ｂ）前記露光量積算値に基づいて、前記主走査方向における前記各単位範囲での前記露光量積算値に関する基準値を算出するステップと、ｃ）前記基準値と前記各単位範囲での前記露光量積算値との関係に基づいて、現在のジョブにおける前記感光体の前記各単位範囲に対する露光量を制御するステップと、を備え、前記ステップｃ）においては、前記感光体の前記主走査方向における複数の単位範囲のうち、前記基準値よりも大きな前記露光量積算値を有する少なくとも１つの単位範囲に関して、前記現在のジョブに関する露光量の低減処理が実行されることを特徴とする。
【００２６】
請求項１８の発明は、コンピュータに、ａ）画像形成装置の感光体の主走査方向における各単位範囲での露光量積算値をそれぞれ取得するステップと、ｂ）前記露光量積算値に基づいて、前記主走査方向における前記各単位範囲での露光量に関する基準値を算出するステップと、ｃ）前記基準値と前記各単位範囲での前記露光量積算値との関係に基づいて、現在のジョブにおける前記感光体の前記各単位範囲に対する露光量を制御するステップと、を実行させるためのプログラムであって、前記ステップｃ）においては、前記感光体の前記主走査方向における複数の単位範囲のうち、前記基準値よりも大きな前記露光量積算値を有する少なくとも１つの単位範囲に関して、前記現在のジョブに関する露光量の低減処理が実行されることを特徴とする。
【発明の効果】
【００２７】
請求項１から請求項１８に記載の発明によれば、主走査方向における感光体劣化の均一化を図り、ひいては感光体の利用効率を改善することが可能である。
【図面の簡単な説明】
【００２８】
【図１】ＭＦＰ（画像形成装置）の概略構成を示す図である。
【図２】ＭＦＰの機能ブロックを示す図である。
【図３】主走査方向の各位置での露光量積算値（露光量積算値の分布曲線）を示す図である。
【図４】或る補正係数Ｑ（ｘ）を示す図である。
【図５】感光体における各位置での補正係数等を示す図である。
【図６】補正係数をデューティ比に変換する変換テーブルを示す図である。
【図７】ＭＦＰの動作を示すフローチャートである。
【図８】ハーフトーン処理の概要を示す図である。
【図９】露光ビームの駆動信号を示す図である。
【図１０】４種類のデューティ比による各出力例を示す図である。
【図１１】デューティ比は同一であるものの所定期間内のうち互いに異なる期間でオン状態を有する３種類の駆動態様を示す図である。
【図１２】第２実施形態に係る補正係数等を示す図である。
【図１３】一次関数で表現される補正係数Ｑ（ｘ）を示す図である。
【発明を実施するための形態】
【００２９】
以下、本発明の実施形態を図面に基づいて説明する。
【００３０】
＜１．第１実施形態＞
＜１−１．装置概要＞
図１は、本実施形態に係る画像形成装置１の概略構成を示す図である。画像形成装置１は、感光体ドラム上の静電潜像を現像して画像を形成する装置（電子写真方式の印刷出力装置）である。
【００３１】
画像形成装置１は、ネットワーク等を介して接続された他の情報処理装置（パーソナルコンピュータ等）から伝送されてきた画像データに基づく画像を、後述の印刷機構を用いて印刷出力することによって、プリンタとして機能する。また、画像形成装置１は、上部のスキャナ部２（光学的読取装置）により読み取られた原稿に関する画像データを、当該印刷機構を用いて印刷出力することによって、コピー装置としても機能する。
【００３２】
図１に示すように、画像形成装置１は、イメージングユニット（画像形成部とも称される）１０を備えている。イメージングユニット１０は、画像（トナー画像）を電子写真方式によって形成し、中間転写ベルト（中間転写体とも称される）２１に転写する。そして、中間転写ベルト２１上に重畳された画像が、シート状の用紙（転写材とも称する）９０にさらに転写されることによって、用紙９０に画像が形成される。なお、中間転写ベルト２１は、感光体１１（後述）から転写されたトナー画像を一時的に担持する像担持体であるとも表現される。
【００３３】
イメージングユニット１０は、駆動ローラ２３と巻き掛けローラ２４とに巻き掛けられた中間転写ベルト２１の下側直線部分の下部において配置されている。イメージングユニット１０は、感光体１１と帯電器１２と露光器１３と現像器１４と第１転写器（１次転写器）１５とイレーサ（除電器）１６とクリーナ１７とを有している。詳細には、イメージングユニット１０において、略円柱状の感光体（感光体ドラム）１１の外周を囲むように、帯電器１２と露光器１３と現像器１４と第１転写器１５とイレーサ１６とクリーナ１７とがこの順序で時計回りに配置されている。このうち、第１転写器（詳細には転写ローラ（１次転写ローラ））１５は、中間転写ベルト２１を隔てて、感光体１１と対向する位置に配置されている。
【００３４】
露光器１３は、感光体１１の主走査方向（図１の奥行き方向Ｘ）においてレーザ光線を選択的に照射（オンおよびオフを繰り返しながら照射）することによって、感光体１１に潜像（静電潜像）を形成する。感光体１１上に形成された静電潜像は現像器１４によってトナー像として顕像化され、第１転写器１５によって中間転写ベルト２１上に転写される。そして、トナー像は中間転写ベルト２１上において重ね合わせられるようにして転写され、中間転写ベルト２１上にトナー画像が形成される。
【００３５】
中間転写ベルト２１は、駆動ローラ２３の駆動によって矢印ＡＲ１の向きに移動する。また、駆動ローラ２３に対向する位置には、中間転写ベルト２１を隔てて、第２転写器（転写ローラ（２次転写ローラ））４３が設けられている。転写ローラ４３による電圧印加に応じて、中間転写ベルト２１上に形成されたトナー画像等が用紙９０に転写される。
【００３６】
また、駆動ローラ２３および転写ローラ４３の位置を通過した用紙９０の搬送方向下流側には定着部（定着器）５０が設けられている。定着部５０は、用紙９０に熱を加えることによって、用紙９０上に形成されたトナー像を用紙９０に定着する。
【００３７】
さらに、定着部５０の搬送方向下流側には排紙トレイ６１が設けられている。
【００３８】
また、イメージングユニット１０および転写ローラ４３の下側（搬送経路上において上流側）には複数の給紙部３０が設けられている。各給紙部３０は、給紙トレイ３１とピックアップローラ３２と給紙ローラ３３とサバキローラ３４とを備えており、タイミングローラ４１および転写ローラ４３に向けて、用紙９０を供給することが可能である。
【００３９】
＜１−２．機能ブロック＞
ここでは、画像形成装置１として、ＭＦＰ（マルチ・ファンクション・ペリフェラル（Multi-Functional Peripheral））を例示する。ＭＦＰは、スキャナ機能、プリンタ機能、コピー機能およびファクシミリ通信機能などを備える装置（複合機とも称する）として構成される。ＭＦＰは、各種の画像処理を行う装置であり、画像処理装置とも称される。
【００４０】
ＭＦＰ１は、ネットワークを介して印刷指示装置（不図示）に接続されており、当該印刷指示装置との間でデータの送受信が可能である。
【００４１】
特に、ＭＦＰ１は、印刷指示装置（クライアントコンピュータ等）からのプリントジョブを実行するプリンタ（印刷出力装置）として機能する。具体的には、印刷指示装置は、当該印刷指示装置にインストールされているプリンタドライバ（ソフトウエアプログラム）等を介して、ＭＦＰ１に対してプリントジョブを送信する。一方、ＭＦＰ１は、印刷指示装置から送信されてきたプリントジョブを受信し、当該プリントジョブを実行する。詳細には、ＭＦＰ１は、当該プリントジョブに含まれるデータ（入力データ）を印刷出力用の画像データである出力画像データに変換する画像処理を実行した後に、当該出力画像データに基づく印刷出力処理を実行する。
【００４２】
図２の機能ブロック図に示すように、ＭＦＰ１は、画像読取部２、印刷出力部３、通信部４、格納部５、操作部６およびコントローラ１００等を備えており、これらの各部を複合的に動作させることによって、各種の機能を実現する。
【００４３】
画像読取部２は、ＭＦＰ１の所定の位置に載置された原稿を光学的に読み取って、当該原稿の画像データ（原稿画像とも称する）を生成する処理部である。
【００４４】
印刷出力部３は、対象画像に関する画像データに基づいて紙などの各種の媒体に画像を印刷出力する出力部である。
【００４５】
通信部４は、公衆回線等を介したファクシミリ通信を行うことが可能な処理部である。さらに、通信部４は、ネットワークを介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、ＭＦＰ１は、所望の相手先装置との間で各種のデータを授受することが可能である。また、ＭＦＰ１は、このネットワーク通信を利用することによって、印刷指示装置からのプリントジョブを受信することなども可能である。通信部４は、各種データを送信する送信部４ａと各種データを受信する受信部４ｂとを有する。
【００４６】
格納部５は、ハードディスクドライブ（ＨＤＤ）および半導体メモリ等の記憶装置で構成される。この格納部５には、画像読取部２等で生成された原稿画像（画像データ）が格納される。また、格納部５においては、印刷指示装置から送信されてきたプリントジョブが一時的に格納される。
【００４７】
操作部６は、ＭＦＰ１に対する操作入力を受け付ける操作入力部６ａと、各種情報の表示出力を行う表示部６ｂとを備えている。
【００４８】
このＭＦＰ１においては、略板状の操作パネル部（不図示）が設けられている。また、操作パネル部は、タッチパネルを有している。タッチパネルは、操作入力部６ａの一部としても機能するとともに、表示部６ｂの一部としても機能する。タッチパネルは、液晶表示パネルに各種センサ等が埋め込まれて構成され、各種情報を表示するとともに操作者からの各種の操作入力を受け付けることが可能である。
【００４９】
コントローラ（制御部）１００は、ＭＦＰ１に内蔵され、ＭＦＰ１を統括的に制御する制御装置である。コントローラ１００は、ＣＰＵおよび各種の半導体メモリ（ＲＡＭおよびＲＯＭ）等を備えるコンピュータシステムとして構成される。コントローラ１００は、ＣＰＵにおいて、ＲＯＭ（例えば、ＥＥＰＲＯＭ（登録商標））内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体から読み出されてＭＦＰ１にインストールされるようにしてもよい。あるいは、当該プログラムは、ネットワーク等を経由してダウンロードされてＭＦＰ１にインストールされるようにしてもよい。
【００５０】
具体的には、図２に示すように、コントローラ１００は、当該プログラムの実行により、通信制御部１１１と入力制御部１１２と表示制御部１１３と積算値算出部１１４と積算値取得部１１５と基準値算出部１１６と露光制御部１１７と設定部１１８とを含む各種の処理部を実現する。
【００５１】
通信制御部１１１は、他の装置との間の通信動作を通信部４等と協働して制御する処理部である。通信制御部１１１は、各種データの送信動作を制御する送信制御部と各種データの受信動作を制御する受信制御部とを有する。
【００５２】
入力制御部１１２は、操作入力部６ａ（タッチパネル等）に対するユーザからの操作入力の受付動作等を制御する制御部である。
【００５３】
表示制御部１１３は、表示部６ｂ（タッチパネル等）における表示動作を制御する処理部である。表示制御部１１３は、ＭＦＰ１を操作するための操作画面等をタッチパネルに表示する。
【００５４】
積算値算出部１１４は、感光体の主走査方向における各単位範囲での露光量積算値（後述）等を算出する処理部である。積算値算出部１１４は、算出された露光量積算値を格納部５に一旦格納する。
【００５５】
積算値取得部１１５は、算出された露光量積算値（格納部５に格納されている露光量積算値）を格納部５から抽出して取得する処理部である。
【００５６】
基準値算出部１１６は、露光量積算値に基づいて、主走査方向における各単位範囲での露光量積算値に関する基準値（後述）を算出する処理部である。
【００５７】
露光制御部１１７は、当該基準値と当該露光量積算値との関係に基づいて、現在のジョブにおける感光体の各単位範囲に対する露光量等を制御する処理部である。
【００５８】
設定部１１８は、ＭＦＰ１に関する各種の設定内容（パラメータ等）を設定する処理部である。
【００５９】
なお、ここでは、主にコントローラ１００のＣＰＵにてソフトウエアプログラムを実行することによって、上述の各種の動作が実行される態様が例示されているが、これに限定されず、ＭＦＰ１（詳細には、コントローラ１００の内部あるいは外部）にて設けられた専用ハードウエア等を用いて、上述の各種の動作が実行されるようにしてもよい。たとえば、各処理部１１１〜１１８の全部または一部が１または複数の専用ハードウエアを用いて実現されてもよい。
【００６０】
＜１−３．露光量積算値＞
つぎに、感光体１１の露光量積算値（過去の露光量の積算値）（積算露光量とも称される）について説明する。特に感光体１１の主走査方向（Ｘ方向）の位置ｘにおける露光量積算値Ｅtotal（ｘ）（後述）等について説明する。当該露光量積算値Ｅtotal（ｘ）は、次のようにして算出される（特に、式（２），（４），（６）参照）。
【００６１】
一のジョブ内の一のページに関する露光量積算値であって主走査方向の全域（ひいては感光体の全表面）に亘る露光量積算値Ｅpageは、式（１）に基づいて算出される。ここで、値Ｅ（ｘ，ｙ）は、一のページ内の位置（ｘ，ｙ）に関する露光量である。
【００６２】
【数１】
2019008197.tif 000003
【００６３】
同様に、一のジョブ内の一のページに関する露光量積算値であって主走査方向の位置ｘにおける露光量積算値Ｅpage（ｘ）は、式（２）に基づいて算出される。各位置ｘにおける露光量積算値Ｅpage（ｘ）は、各単位範囲（詳細には、画素単位範囲）の露光量積算値である、とも表現される。なお、「画素単位範囲」は、主走査方向にて一の画素の画素幅（詳細には、後述するハーフトーン処理による二値化後の画素の画素幅（ＭＦＰ１の最高解像度の１ドットの幅））を有する範囲である。
【００６４】
【数２】
2019008197.tif 000004
【００６５】
なお、式（１）の露光量積算値Ｅpageは、全ての位置ｘ（最小値Ｘminから最大値Ｘmaxまでの各値）に関する複数の露光量積算値Ｅpage（ｘ）（式（２）参照）を積算した値である、とも表現される。
【００６６】
また、一のジョブに関する露光量積算値であって主走査方向の全域（ひいては感光体の全表面）に亘る露光量積算値Ｅjobは、式（３）に基づいて算出される。具体的には、式（１）で算出される露光量積算値Ｅpageを、ジョブ内の全ページ（第ｎページ；ｎ＝１，...，Ｎ）に関して積算することによって求められる。
【００６７】
【数３】
2019008197.tif 000005
【００６８】
同様に、一のジョブに関する露光量積算値であって主走査方向の位置ｘにおける露光量積算値Ｅjob（ｘ）は、式（４）に基づいて算出される。具体的には、式（２）で算出されるＥpage（ｘ）をジョブ内の全ページ（Ｎページ）に関して積算することによって求められる。
【００６９】
【数４】
2019008197.tif 000006
【００７０】
なお、式（３）の露光量積算値Ｅjobは、全ての位置ｘ（最小値Ｘminから最大値Ｘmaxまでの各値）に関する複数の露光量積算値Ｅjob（ｘ）（式（４）参照）を積算した値である、とも表現される。
【００７１】
そして、ＭＦＰ１にて実行された全ての画像形成ジョブに関する露光量積算値であって主走査方向の全域に亘る露光量積算値Ｅtotalは、式（５）に基づいて算出される。具体的には、式（３）で算出される露光量積算値Ｅjobを、複数のジョブ（第ｍジョブ；ｍ＝１，...，Ｍ）に関して積算することによって求められる。
【００７２】
【数５】
2019008197.tif 000007
【００７３】
同様に、ＭＦＰ１にて実行された全ての画像形成ジョブに関する露光量積算値であって位置ｘにおける露光量積算値Ｅtotal（ｘ）（単にＥ（ｘ）とも表記する）は、式（６）に基づいて算出される。具体的には、式（４）で算出される露光量積算値Ｅjob（ｘ）を、全てのジョブ（Ｍ個のジョブ）に関して積算することによって求められる。
【００７４】
【数６】
2019008197.tif 000008
【００７５】
なお、式（５）の露光量積算値Ｅtotalは、全ての位置ｘ（最小値Ｘmin（たとえば「１」）から最大値Ｘmax（たとえば「１００００」）までの各値）に関する複数の露光量積算値Ｅtotal（ｘ）（式（６）参照）を積算した値である、とも表現される。
【００７６】
また、ＭＦＰ１にて実行された全ての画像形成ジョブに関する露光量積算値であって一の位置における露光量積算値（各画素単位範囲の露光量積算値）の平均値Eaveは、式（７）に基づいて算出される。換言すれば、主走査方向の全域に亘る露光量積算値（式（５）参照）と主走査方向における全画素数Ｘmaxとに基づいて、各画素単位範囲の露光量積算値の平均値Eaveが算出される。なお、当該平均値Eaveは、複数の単位範囲に関する露光量積算値の平均値であるとも表現される。
【００７７】
【数７】
2019008197.tif 000009
【００７８】
図３は、主走査方向の各位置ｘにおける露光量積算値Ｅ（ｘ）（露光量積算値Ｅ（ｘ）の分布曲線）を示す図である。印刷出力データにも依拠するが、図３に示されるように、感光体１１に対する露光器１３による露光量は、主走査方向において一定（均一）ではなく、主走査方向において変動する。
【００７９】
ＭＦＰ１は、算出された露光量積算値Ｅ（ｘ）を格納部５内に格納しておく。また、ＭＦＰ１は、画像形成動作の進展に応じた適宜のタイミングで（たとえば、ジョブ出力が完了するごとに（ジョブ単位で）、ページ出力が完了するごとに（ページ単位で）等）、露光量積算値Ｅ（ｘ）を更新して格納部５内に格納する。
【００８０】
ここにおいて、このような主走査方向における変動に起因して、上述のような問題が生じ得る。
【００８１】
そこで、この実施形態では、次述するように、このような露光量積算値の分布の不均一性を抑制すべく、ＭＦＰ１は、画像形成生成時にて感光体に対する露光量を補正する（次述）。これにより、主走査方向における感光体劣化を均一化し、ひいては感光体の利用効率の改善を企図する。
【００８２】
＜１−４．動作＞
次に、感光体に対する露光量の補正制御について図７を参照しながら説明する。図７は、ＭＦＰ１の動作を示すフローチャートである。
【００８３】
まず、ステップＳ２１において、ＭＦＰ１は、感光体１１に関する露光量積算値を取得する。より詳細には、感光体１１における主走査方向位置に応じた各単位範囲（単位幅、単位領域などとも称する）での露光量積算値（過去の露光量の積算値）がそれぞれ取得される。ここでは、「画素単位範囲」（主走査方向にて一の画素の画素幅（より詳細には、後述するハーフトーン処理による二値化後の画素の画素幅（ＭＦＰ１の最高解像度の１ドットの幅））を有する領域）が「単位範囲」として採用される。そして、感光体１１の各主走査方向位置ｘでの露光量積算値Ｅ（ｘ）（上述の式（６）参照）等が取得される。
【００８４】
より具体的には、各位置ｘｉでの露光量積算値Ｅ（ｘｉ）（具体的には、Ｅ（ｘ１）=Ｅ１、Ｅ（ｘ２）=Ｅ２、Ｅ（ｘ３）=Ｅ３、Ｅ（ｘ４）=Ｅ４、Ｅ（ｘ５）=Ｅ５、Ｅ（ｘ６）=Ｅ６、...等）が取得される。たとえば、図５に示すような各位置Ｐ１，Ｐ２，Ｐ３，Ｐ４に関する露光量積算値（具体的には、Ｅ（Ｐ１）＝２５、Ｅ（Ｐ２）＝６８、Ｅ（Ｐ３）＝３８、Ｅ（Ｐ４）＝８５）、ならびにその他の各位置（位置Ｐ１よりも小さいｘ座標を有する各位置、および位置Ｐ１，Ｐ２の相互間の各位置等）に関する露光量積算値が取得される。図５は、露光量積算値Ｅ（ｘ）の分布曲線を示す図である。図５においては、感光体における幾つかの位置ｘでの補正係数（後述）等もが示されている。
【００８５】
なお、各位置Ｐ１〜Ｐ４は、主走査方向における幾つかの位置（図５参照）である。たとえば、位置Ｐ１はｘ＝ｘ１０００の位置であり、位置Ｐ２はｘ＝ｘ３８００の位置であり、位置Ｐ３はｘ＝ｘ６０００の位置であり、位置Ｐ４はｘ＝ｘ８５００の位置である。
【００８６】
また、ステップＳ２２において、ＭＦＰ１は、主走査方向（Ｘ方向）における各単位範囲（ここでは画素単位範囲）での露光量積算値に関する基準値（ここでは平均値）を、式（７）に基づいて算出する。具体的には、露光量積算値Ｅtotalと値Ｘmaxとに基づき、平均値Ｅave（たとえば、「５３」）が算出される。換言すれば、複数（Ｘmax個）の画素単位範囲に関する複数（Ｘmax個）の露光量積算値Ｅ（ｘ）の平均値Ｅaveが算出される。なお、値Ｘmaxは、主走査方向における全画素数（たとえば、１万）である。
【００８７】
そして、ステップＳ２３〜Ｓ２５において、ＭＦＰ１は、当該基準値と主走査方向の各単位範囲（画素単位範囲）での露光量積算値との関係（大小関係等）に基づいて、現在のジョブにおける感光体の各画素単位範囲に対する露光量を制御する。詳細には、ＭＦＰ１は、主走査方向の各単位範囲（各画素単位範囲）での露光量積算値が当該基準値（平均値）よりも大きい場合、現在のジョブにおける感光体の各単位範囲に対する露光量の低減処理を実行する。換言すれば、ＭＦＰ１は、感光体１１の主走査方向における複数の単位範囲のうち、当該基準値よりも大きな露光量積算値を有する少なくとも１つの単位範囲（当該基準値よりも大きな露光量積算値を有することを条件として当該複数の単位範囲の中から選択された少なくとも１つの単位範囲）に関して、現在のジョブに関する露光量の低減処理を実行する。
【００８８】
具体的には、まず、ステップＳ２３において、主走査方向における各位置ｘでの露光量積算値Ｅ（ｘ）と主走査方向（Ｘ方向）の全域に亘る全ての露光量積算値Ｅ（ｘ）の平均値Eave（各露光量積算値Ｅ（ｘ）での基準値）とに基づく補正係数Ｑ（ｘ）が算出される。ここでは、補正係数Ｑ（ｘ）は、式（８）に基づいて算出され、露光量積算値Ｅ（ｘ）に反比例する。
【００８９】
【数８】
2019008197.tif 000010
【００９０】
式（８）によれば、露光量積算値Ｅ（ｘ）が平均値Ｅaveに等しい場合には補正係数Ｑ（ｘ）の値は「１」である（図４も参照）。また、露光量積算値Ｅ（ｘ）が平均値Ｅaveよりも小さい場合には補正係数Ｑ（ｘ）の値は「１」よりも大きな値であり、露光量積算値Ｅ（ｘ）が平均値Ｅaveよりも大きい場合には補正係数Ｑ（ｘ）の値は「１」よりも小さな値である。なお、図４は、式（８）で示される補正係数Ｑ（ｘ）を示す図である。
【００９１】
次に、ステップＳ２４において、補正係数Ｑ（ｘ）に基づき、露光用光出力（パルス出力）のデューティ比Ｒ（ｘ）が各位置ｘに関して算出される。ここでは、図６の変換テーブル２１０を用いてデューティ比Ｒ（ｘ）が算出される。
【００９２】
そして、ステップＳ２５において、ステップＳ２３，Ｓ２４にて決定された内容に従って、露光処理が実行される。以下、このような処理について更に説明する。
【００９３】
図８は、ハーフトーン処理によって或る画素の画素値（多階調値（たとえば２５６段階）のデータ）が面積階調値（２値データ）に変換される一例を示す図である。図８では、予め定められたディザマトリクス（図の右側参照）を用いて、入力画像の画素値「１２８」（図８の左側参照）が、ドットの集合体（ここでは４×４ドットの集合体（図８の右側参照））に変換される様子が示されている。なお、ここでは、簡単化のため、２５６段階の多階調値を１６段階の面積階調値に変換するディザマトリクス（４×４サイズのディザマトリクス）を例示するが、これに限定されず、様々なサイズのディザマトリクスが用いられてもよい。
【００９４】
図８の例では、４×４サイズのディザマトリクス内の二値化後の各ドットに対応して予め規定された閾値と入力画像の画素値（多階調値）とが比較され、当該多階調値が当該閾値以上の場合には、当該ドットは「１」（オン状態）に設定され、逆に、当該多階調値が当該閾値よりも小さい場合には、当該ドットは「０」（オフ状態）に設定される。図８に示すように、たとえば、入力画像において或る画素が多階調値「１２８」を有する場合、当該画素（二値化前の画素）に対応する１６個のドット（二値化後の画素）のうち、閾値「１１２」、「４８」、「６４」、「１２８」、「９６」、「３２」、「１６」、「８０」がそれぞれ定められた８個のドットが「１」（オン状態）に設定され、それ以外の８個のドットは、「０」（オフ状態）に設定される。このようにして、入力画像における多階調値「１２８」が、１６個の２値データの集合体で示される面積階調値に変換される。
【００９５】
ここにおいて、通常は、二値化後の各ドットが標準値（１００％の大きさ）を有するように露光ビームが出力される。換言すれば、二値化後の各ドットが標準値（１００％の大きさ）を有するように露光ビームの強度が調整されており、当該調整後の強度の露光ビームが出力されることによって、所定大きさを有する各ドットが実現される。詳細には、露光ビームの出力に際して、ＰＷＭ（Ｐulse Ｗidth Ｍodulation（パルス幅変調））制御におけるデューティー比（１００％）のパルス信号（駆動信号）が付与されることによって、所定大きさを有する各ドットが実現される。
【００９６】
一方、この実施形態では、露光ビームの出力に際して、当該ＰＷＭ制御におけるデューティー比を標準値に対して変更することによって、二値化後の各ドットのサイズが調整されるとともに感光体の露光量が調整される。
【００９７】
図９は、各ドットを実現するための露光ビーム（露光器１３（露光部）から出力される露光用の光（レーザ光等））の駆動信号を示す図である。また、図１０は、「４×４ドットの集合体」を４種類のデューティー比（「１００％」（規定値あるいは標準値とも称する）、「７５％」、「５０％」、「２５％」）のそれぞれで出力した様子を示す図である。各デューティ比は、所定期間内における駆動信号の「オン時間」の割合を示しており、「オン」の期間に露光器１３から感光体１１へと光が出射される。なお、それ以外の期間（すなわち「オフ」の期間）には、当該光は出射されない。
【００９８】
所定期間の全期間（１００％）に亘って露光ビームの駆動信号が出力される場合には、図１０の左端にも示されるように、通常のドットサイズ（ドット径）が実現される。なお、ここでは、各ドットが矩形（正方形あるいは長方形）で示されているが、これに限定されず、各ドットは円形等であってもよい。
【００９９】
また、所定期間よりも短い期間（７５％）に亘って露光ビームの駆動信号が出力される場合（図１０の左端から２番目の部分参照）には、通常のドットサイズよりも小さなサイズ（たとえば７５％程度の大きさ）のドットが実現される。
【０１００】
さらに、所定期間よりも更に短い期間（５０％）に亘って露光ビームの駆動信号が出力される場合（図１０の左端から３番目の部分参照）には、通常のドットサイズよりも更に小さなサイズ（たとえば５０％程度の大きさ）のドットが実現される。
【０１０１】
また、所定期間よりも非常に短い期間（２５％）に亘って露光ビームの駆動信号が出力される場合（図１０の右端参照）には、通常のドットサイズよりも非常に小さなサイズ（たとえば２５％程度の大きさ）のドットが実現される。
【０１０２】
このように、ＰＷＭ制御における所定期間に対するオン期間の長さの比（デューティ比）を調整（低減）することによって、ドットサイズが調整（低減）される。
【０１０３】
この際、ドットサイズの低減とともに、露光器１３による感光体１１の露光量もが調整される。この実施形態では、このような性質を利用して感光体１１の露光量が調整される。
【０１０４】
具体的には、各単位範囲での露光量積算値が基準値（ここでは平均値）よりも大きいことを条件として、現在のジョブにおける感光体の各単位範囲（ここでは画素単位範囲）に対する露光量が、通常の露光処理時の露光量に対して低減される。より詳細には、各単位範囲におけレーザ光の駆動信号のデューティ比Ｒを１００％（標準値）に対して低減すること（ハーフトーン処理後の各単位範囲における各ドットのドットサイズを標準サイズ（１００％）よりも小さくすること）によって、当該各単位範囲に対する露光量が低減される。また、各単位範囲での露光量積算値が基準値よりも大きくなるにつれて（各単位範囲での露光量積算値と基準値との差が大きくなるにつれて）、現在のジョブにおける感光体の当該各単位範囲に対する露光量の低減の度合いが大きくなる。換言すれば、デューティ比Ｒが、「１００％」から一層大きく離れた値（一層小さな値）へと低減され、各単位範囲に対する露光量が一層低減（比較的大きく低減）される。
【０１０５】
このような処理について具体例を示しながら更に説明する。
【０１０６】
たとえば、ステップＳ２３において、図５に示すように、位置Ｐ１（ｘ＝Ｐ１）の露光量積算値Ｅ（Ｐ１）は「２５」であり、式（８）に基づき補正係数Ｑ（ｘ）（ｘ＝Ｐ１）は、「２．１２」（＝５３／２５）であるとして算出される。同様に、位置Ｐ２の露光量積算値Ｅ（Ｐ２）は「６８」であり、式（８）に基づき補正係数Ｑ（ｘ）（ｘ＝Ｐ２）は、「０．７８」（＝５３／６８）であるとして算出される。同様に、補正係数Ｑ（Ｐ３）は「１．３９」（＝５３／３８）であり、補正係数Ｑ（Ｐ４）は「０．６２」（＝５３／８５）である、として算出される。その他の各位置ｘの補正係数Ｑ（ｘ）も同様にして算出される。
【０１０７】
次にステップＳ２４において、デューティ比Ｒ（ｘ）が算出される。
【０１０８】
具体的には、補正係数Ｑ（ｘ）が「１」よりも大きな値である場合（換言すれば、露光量積算値Ｅ（ｘ）が平均値Ｅaveよりも小さい場合）、デューティ比Ｒ（ｘ）は１００％のままである。
【０１０９】
一方、補正係数Ｑ（ｘ）が「１」よりも小さな値である場合（換言すれば、露光量積算値Ｅ（ｘ）が平均値Ｅaveよりも大きい場合）、デューティ比Ｒ（ｘ）は、（１００％あるいは）１００％よりも小さな値に変更される。詳細には、図６に示されるような変換テーブル２１０に基づく変換処理によって、デューティ比Ｒ（ｘ）が算出される。具体的には、補正係数Ｑ（ｘ）が「１」よりも小さい場合、補正係数Ｑ（ｘ）が「１」に対して小さくなるにつれて、露光量の変更率（低減（変更）前の値に対する低減後の値の割合）は、より小さな値に変換される。換言すれば、各単位範囲での露光量積算値が基準値よりも大きくなるにつれて、現在のジョブにおける感光体の当該各単位範囲に対する露光量の低減の度合いが大きくなる。なお、デューティ比Ｒ（ｘ）は、露光量の変更率、とも表現される。
【０１１０】
たとえば、補正係数Ｑ（ｘ）が「１」よりも大きな位置Ｐ１，Ｐ等においては、デューティ比Ｒ（ｘ）は、１００％のまま維持される。
【０１１１】
一方、補正係数Ｑ（ｘ）が「１」よりも小さな位置Ｐ２，Ｐ４においては、デューティ比Ｒ（ｘ）が、１００％よりも小さな値に変更される。詳細には、位置Ｐ２に関しては、補正係数Ｑ（Ｐ２）が「０．７８」（＝５３／６８）であることから、デューティ比Ｒ（Ｐ２）は、「７５％」に変更される。また、位置Ｐ４に関しては、補正係数Ｑ（Ｐ４）が「０．６２」（＝５３／８５）であることから、デューティ比Ｒ（Ｐ４）は、「５０％」に変更される（図５および図６も参照）。
【０１１２】
その他の各位置ｘについても、同様にして、各デューティ比Ｒ（ｘ）が決定される。
【０１１３】
そして、決定されたデューティ比Ｒ（ｘ）に基づいて、或るジョブに関する露光制御が実行される（ステップＳ２５）。具体的には、各主走査ラインの各画素（主走査方向に伸延する１ライン内の画素群）に関して、その主走査方向位置ｘに応じた露光量Ｅ（ｘ）が決定されるとともに、当該各位置の各画素に関して上述のようなデューティ比Ｒ（ｘ）に基づく露光量処理が実行される。実質的には、露光量Ｅ（ｘ）にデューティ比Ｒ（ｘ）を乗じた値（補正後の新たな露光量Ｅ（ｘ）とも称される）に基づく、露光処理が実行される。また、副走査方向においては、同様の動作が繰り返し実行される。換言すれば、互いに異なる副走査方向位置を有する複数の主走査ラインについて、同様の動作が繰り返し実行される。
【０１１４】
これによれば、その露光量積算値が他の位置に比べて大きい位置（詳細にはその露光量積算値Ｅ（ｘ）が平均値Ｅaveよりも大きな位置）に関して、今回のジョブの露光量は、基本的には、標準値（「１００％」）よりも小さな値（たとえば、「７５％」、「５０％」、「２５％」等）に抑制される。
【０１１５】
このようにして、露光部に対するＰＷＭ制御におけるデューティ比Ｒ（ｘ）を変更することによって、現在のジョブにおける各画素のハーフトーン処理による二値化後の各ドットのドットサイズの標準サイズ（最大サイズ（最大径）でもある）に対する割合を低減するとともに、感光体への露光量を低減することが可能である。
【０１１６】
なお、ここでは、図６に示すように、補正係数Ｑが１よりも小さい場合であっても、補正係数Ｑが０．９以上であるときには、例外的にデューティ比Ｒが「１００％」に維持される。このように、各位置ｘでの露光量積算値Ｅ（ｘ）（過去の露光量の積算値）が基準値（Ｅave）よりも大きい場合であっても、必ずしも一律に当該各位置ｘでの露光量を低減することを要しない。
【０１１７】
その後、或るジョブの全ページ（１又は複数のページ）の印刷出力が完了すると、ステップＳ２６において、露光量積算値の更新処理が実行される。たとえば、前回のジョブまでの露光量積算値に今回のジョブの露光量積算値（補正後の新たな露光量積算値）が加算されることによって、露光量積算値が更新される。詳細には、前回のジョブまでの露光量積算値Etotal（ｘ）（式（６）参照）に今回のジョブの露光量積算値Ejob（ｘ）（式（４）参照）が加算されることによって、新たな露光量積算値（今回のジョブまでの）Etotal（ｘ）が算出される。同様に、前回のジョブまでの露光量積算値Etotal（式（５）参照）に今回のジョブの露光量積算値Ejob（式（３）参照）が加算されることによって、新たな露光量積算値（今回のジョブまでの）Etotalが算出される。
【０１１８】
さらにその後、新たなジョブが受け付けられると、当該新たなジョブに関して、ステップＳ２１〜ステップＳ２６の処理が実行される。
【０１１９】
なお、或るジョブに関するステップＳ２６での更新後の露光量積算値は、当該或るジョブの次のジョブに関するステップＳ２１での処理において、「現在のジョブの直前のジョブまでの露光量積算値」として取得される。
【０１２０】
以上のような動作によれば、各位置ｘでの露光量積算値Ｅ（ｘ）（過去の露光量の積算値）が基準値（ここでは平均値Ｅave）よりも大きい場合、（基本的には）現在のジョブにおける感光体の当該各位置ｘに対する露光量が低減される。詳細には、当該露光量積算値が基準値よりも大きく且つ補正係数Ｑが０．９よりも小さい場合（換言すれば、当該露光量積算値が基準値よりも所定程度以上大きい場合）には、現在のジョブにおける感光体の位置ｘにおける露光量が低減される。換言すれば、感光体１１の主走査方向における複数の画素単位範囲のうち、基準値よりも大きな露光量積算値を有する少なくとも１つの画素単位範囲に関して、現在のジョブに関する露光量の低減処理が実行される。これによれば、露光量積算値の主走査方向における分布を均一化することが可能である。したがって、主走査方向における感光体劣化の均一化を図ることが可能であり、ひいては感光体の利用効率を改善することが可能である。また、特許文献１の技術と比較すると、用紙の向きに関する制約を受けることがなく、ユーザの操作性を低下させずに済む。
【０１２１】
なお、ここでは、図９および図１０（最左部分）に示されるように、ＰＷＭ制御における駆動信号は、所定期間の始期から直ちにオン状態に遷移し、所定の割合の時間が経過した後にオフ状態（０％）に低減されている。端的に言えば、当該駆動信号は、所定期間のうち、左寄りの一部期間（始期直後の一部分）のみにてオン状態にされている（図１１の左端側分参照）。しかしながら、本発明は、これに限定されない。たとえば、図１１の右端側に示されるように、当該駆動信号は、所定期間のうち、右寄りの一部期間（終期直前の一部分）のみにてオン状態にされてもよい。あるいは、図１１の中央に示されるように、当該駆動信号は、所定期間のうち、中央の一部期間（始期と終期との間の中間時点近傍の一部分）のみにてオン状態にされてもよい。図１１は、デューティ比Ｒは同一（いずれも５０％）であるものの所定期間内のうち互いに異なる部分期間でオン状態を有する３種類の駆動態様を示す図である。なお、オン期間のずれに依拠して、画像上でのドットの位置も微小量ずれる。
【０１２２】
また、これらの３種類の部分期間（図１１参照）は、１つのジョブ内で（主走査方向内の各画素毎に、および／または副走査方向ラインごとに）随時ランダムに切り替えられてもよい。これによれば、オン期間のずれに依拠して発生する画像上でのドット位置ずれを目立たなくするようにできる。
【０１２３】
＜２．第２実施形態＞
第２実施形態は、第１実施形態の変形例である。以下では、第１実施形態との相違点を中心に説明する。
【０１２４】
上記第１実施形態においては、「画素単位範囲」（詳細には、二値化後画素範囲）（主走査方向にて一の画素の画素幅（より詳細には、ハーフトーン処理による二値化後の画素の画素幅）を有する範囲）が「単位範囲」として採用されている。換言すれば、感光体の主走査方向における「単位範囲」として、主走査方向における一の画素の画素幅を有する領域（画素単位範囲）が例示されている。
【０１２５】
この第２実施形態においては、感光体の主走査方向における「単位範囲」として、感光体の主走査方向（より詳細には、感光体１１のＸ方向における全域）を複数の範囲に区分して形成された区分範囲を例示する。なお、当該区分範囲は、主走査方向の画素列を複数の範囲に区分して形成された区分範囲であるとも表現される。
【０１２６】
図１２においては、主走査方向の画素列が複数の範囲に区分されて形成された区分範囲Ｇ１〜Ｇ４が例示されている。なお、区分数は「４」に限定されず、たとえば、より多数（たとえば、数十個〜１００個）の範囲に区分された区分範囲が「単位範囲」として採用されてもよい。また、当該区分数（主走査方向の画素列を複数の範囲に区分する際の区分数）は、ＭＦＰ１の設定画面等を用いて、ユーザによって（設定）変更され得ることが好ましい。当該設定処理（主走査方向を複数の範囲に区分する際の区分数を設定する処理）は、コントローラ１００（図２）内にて実現される区分数設定部（不図示）等によって行われればよい。
【０１２７】
第２実施形態においても、基本的には図７と同様の動作が実行される。ただし、主走査方向における各位置ｘでの露光量が位置ｘごとに変更されるのではなく、主走査方向における各位置ｘでの露光量が区分範囲単位で変更される。
【０１２８】
より詳細には、ステップＳ２１においては、感光体の主走査方向位置に応じた各区分範囲（たとえば、主走査方向における４つの区分範囲Ｇ１〜Ｇ４）での露光量積算値Ｅtotal（Ｇｉ）がそれぞれ取得される。ここでは、露光量積算値Ｅtotal（Ｇｉ）は、各区分範囲内の画素数（主走査方向の画素数）で除することによって正規化されて算出されるものとする。
【０１２９】
また、ステップＳ２２では、主走査方向における全域に亘る露光量積算値に基づいて、主走査方向における各区分範囲での露光量積算値に関する基準値（平均値等）が算出される。なお、当該基準値も、正規化された状態で算出される。
【０１３０】
たとえば、第１実施形態と同じ平均値Ｅaveが「基準値」として求められる。
【０１３１】
あるいは、当該基準値は、複数（ここでは４つ）の単位範囲に関する複数の露光量積算値（４つの区分範囲Ｇｉに関する４つの露光量積算値Ｅtotal（Ｇｉ））の平均値として算出されてもよい。すなわち、４つの露光量積算値Ｅtotal（Ｇ１），Ｅtotal（Ｇ２），Ｅtotal（Ｇ３），Ｅtotal（Ｇ４）の平均値が、「基準値」として求められてもよい。ここで、各露光量積算値Ｅtotal（Ｇｉ）は、各区分範囲Ｇｉにおける露光量積算値（正規化された状態の積算値）である。なお、各区分範囲の所属画素数が異なる場合等においては、各区分範囲の所属画素数に基づく加重平均値等が「基準値」として求められてもよい。
【０１３２】
その後、ステップＳ２３では、当該基準値と各区分範囲での露光量積算値Ｅtotal（Ｇｉ）とに基づく補正係数Ｑ（Ｇｉ）が算出される。換言すれば、補正係数Ｑが区分範囲Ｇｉごとに算出される。
【０１３３】
また、ステップＳ２４では、補正係数Ｑ（Ｇｉ）に基づくデューティ比Ｒ（Ｇｉ）が算出される。換言すれば、デューティ比Ｒが区分範囲ごとに算出される。
【０１３４】
そして、ステップＳ２５では、複数の区分範囲Ｇｉに対して各デューティ比Ｒ（Ｇｉ）を用いたＰＷＭ制御によって露光処理が行われる。具体的には、区分範囲Ｇ１内の各画素に関しては、デューティ比Ｒ（Ｇ１）の駆動信号を用いて露光用の光出力（レーザー光出力等）が制御される。また、区分範囲Ｇ２内の各画素に関しては、デューティ比Ｒ（Ｇ２）の駆動信号を用いて露光用の光出力が制御される。同様に、区分範囲Ｇ３内の各画素に関しては、デューティ比Ｒ（Ｇ３）の駆動信号を用いて露光用の光出力が制御され、区分範囲Ｇ４内の各画素に関しては、デューティ比Ｒ（Ｇ４）の駆動信号を用いて露光用の光出力が制御される。
【０１３５】
たとえば、図１２の区分範囲Ｇ１に関しては、露光量積算値Ｅtotal（Ｇ１）（正規化された値）が「３５」であり、補正係数Ｑ（Ｇ１）が「１．５１」である（補正係数Ｑ（Ｇ１）が「１」よりも大きい）ので、デューティ比Ｒ（Ｇ１）は、「１００％」のままである。同様に、図１２の区分範囲Ｇ３に関しては、露光量積算値Ｅtotal（Ｇ３）が「５０」であり、補正係数Ｑ（Ｇ３）が「１．０６」であるので、デューティ比Ｒ（Ｇ３）は、「１００％」のままである。
【０１３６】
一方、図１２の区分範囲Ｇ４に関しては、露光量積算値Ｅtotal（Ｇ４）が「７０」であり、補正係数Ｑ（Ｇ４）が「０．７６」である（補正係数Ｑ（Ｇ１）が「１」よりも所定程度以上小さい）ので、デューティ比Ｒ（Ｇ４）は、「７５％」に変更される（図６も参照）。なお、図１２の区分範囲Ｇ２に関しては、露光量積算値Ｅtotal（Ｇ２）が「５８」であり、補正係数Ｑ（Ｇ４）が「０．９１」であり、補正係数Ｑ（Ｇ４）が「１」よりも小さい。ただし、その差異（当該補正係数Ｑと「１」との差異（０．０９））が微小である（「０．１」よりも小さい）ので、デューティ比Ｒ（Ｇ４）は、「１００％」のままである。換言すれば、補正係数Ｑが０．９以上であるときには、デューティ比Ｒ（Ｇ４）は、「１００％」に維持される。
【０１３７】
このように、第２実施形態においては、各区分範囲Ｇｉでの露光量積算値（過去の露光量の積算値）が基準値（ここでは平均値）よりも大きい場合、（基本的には）現在のジョブにおける感光体の当該各区分範囲Ｇｉに対する露光量が低減される。詳細には、当該露光量積算値が基準値よりも大きく且つ補正係数Ｑが０．９よりも小さい場合（換言すれば、当該露光量積算値が基準値よりも所定程度以上大きい場合）には、現在のジョブにおける感光体の当該各区分範囲Ｇｉに対する露光量が低減される。換言すれば、感光体１１の主走査方向における複数の単位範囲のうち、基準値よりも大きな露光量積算値を有する少なくとも１つの単位範囲に関して、現在のジョブに関する露光量の低減処理が実行される。これによれば、露光量積算値の主走査方向における分布を均一化することが可能である。したがって、主走査方向における感光体劣化の均一化を図ることが可能であり、ひいては感光体の利用効率を改善することが可能である。
【０１３８】
なお、第２実施形態においては、各区分範囲Ｇｉでの各露光量積算値Ｅ（Ｇｉ）は、正規化された値として算出されているが、これに限定されず、当該各区分範囲Ｇｉでの各露光量積算値Ｅ（Ｇｉ）として正規化前の各露光量積算値Ｅ（Ｇｉ）がそのまま用いられるようにしてもよい。
【０１３９】
＜３．変形例等＞
以上、この発明の実施の形態について説明したが、この発明は上記説明した内容のものに限定されるものではない。
【０１４０】
たとえば、上記第１実施形態においては、「二値化後画素範囲」（主走査方向において、二値化後の一の画素の画素幅（ハーフトーン処理による二値化後の画素の画素幅）に対応する範囲）が「画素単位範囲」（ひいては「単位範囲」）として例示されているが、これに限定されない。「二値化前画素範囲」（主走査方向において、二値化前の一の画素の画素幅（ハーフトーン処理前の画素の画素幅）に対応する範囲）が「画素単位範囲」（ひいては「単位範囲」）として採用されてもよい。
【０１４１】
＜補正係数の算出およびデューティ比の算出等＞
また、上記各実施形態等においては、補正係数Ｑ（ｘ）は、式（８）に基づいて算出されているが、これに限定されず、補正係数Ｑ（ｘ）は、式（８）ではなく、その他の式（たとえば、式（９））に基づいて算出されてもよい。
【０１４２】
【数９】
2019008197.tif 000011
【０１４３】
式（９）は、一次関数で表現される補正係数Ｑ（ｘ）を示す式である。なお、値Ｅmaxは、複数の露光量積算値Ｅ（ｘ）のうちの最大値である。
【０１４４】
図１３は、式（９）の補正係数Ｑ（ｘ）を示す図である。図１３にも示されるように、式（９）の補正係数Ｑ（ｘ）は、式（８）の補正係数Ｑ（ｘ）との間に次のような共通点を有している。具体的には、露光量積算値Ｅ（ｘ）が平均値Ｅaveに等しい場合には補正係数Ｑ（ｘ）の値は「１」である。また、露光量積算値Ｅ（ｘ）が平均値Ｅaveよりも小さい場合には補正係数Ｑ（ｘ）の値は「１」よりも大きな値であり、露光量積算値Ｅ（ｘ）が平均値Ｅaveよりも大きい場合には補正係数Ｑ（ｘ）の値は「１」よりも小さな値である。
【０１４５】
なお、式（９）では、たとえば、露光量積算値Ｅ（ｘ）がその最大値Ｅmax「８５」に等しいとき、補正係数Ｑ（ｘ）は、ゼロであり、デューティ比Ｒ（ｘ）は「ゼロ」に設定される。また、露光量積算値Ｅ（ｘ）が値「６８」のとき、補正係数Ｑ（ｘ）は、「０．５３」であり、デューティ比Ｒ（ｘ）は「５０％」に設定される。補正係数Ｑ（ｘ）が「１」より小さい場合、デューティ比Ｒ（ｘ）は変換テーブル２１０（図６）に基づいて、（基本的には）１００％よりも小さな値に設定される。一方、補正係数Ｑ（ｘ）が「１」より大きい場合には、デューティ比Ｒ（ｘ）は「１００％」のままである。
【０１４６】
また、上記各実施形態等においては、補正係数Ｑ（ｘ）が、図６の変換テーブル２１０に基づいてデューティ比Ｒ（ｘ）に変換されているが、これに限定されず、その他の変換テーブルあるいは或る関係式等に基づいてデューティ比Ｒ（ｘ）が算出されてもよい。また、デューティ比Ｒ（ｘ）は、４段階ではなく、更に多くの段階（たとえば２０段階）あるいは無段階で算出されるようにしてもよい。
【０１４７】
また、上記各実施形態においては、現在のジョブに対して設定されている印刷画質にかかわらず、各単位範囲での露光量積算値が基準値よりも大きい場合、デューティ比Ｒが、「０％」以上「１００％」未満の値（詳細には、４種類の値（「０％」、「２５％」、「５０％」、「７５％」のいずれかの値）に変更される。これによって、現在のジョブにおける感光体の各単位範囲に対する露光量が低減されている。
【０１４８】
しかしながら、本発明は、これに限定されない。たとえば、印刷画質に応じて異なる下限値Ｌを用いて、露光量が制御されるようにしてもよい。具体的には、現在のジョブに関して設定されている印刷画質が「標準画質」（第１の画質）に設定されている場合には、ＭＦＰ１は、現在のジョブにおける感光体の各単位範囲（詳細には、基準値よりも大きな露光量積算値を有する少なくとも１つの単位範囲）に対する露光量を低減する際における、当該露光量の変更率（露光量変更率とも称する）（たとえば、デューティ比Ｒ）の下限値Ｌを値ＴＨ１（たとえば、「０％」）に設定する。この場合（特に値ＴＨ１＝０のとき）、たとえば上記各実施形態と同様の低減制御が行われる。一方、現在のジョブに関して設定されている印刷画質が「写真画質」（標準画質よりも高い画質（第２の画質））に設定されている場合には、ＭＦＰ１は、露光量変更率（低減（変更）前の値に対する低減後の値の割合）の当該下限値Ｌを、値ＴＨ２（ＴＨ１よりも高い値（大きな値））に設定する。
【０１４９】
より詳細には、現在のジョブに対して「写真画質」が設定されている場合には、デューティ比Ｒを、１００％と所定の下限値ＴＨ２（たとえば７０％）との間の値（たとえば、「７５％」（あるいは「９０％」））に変更することによって、現在のジョブにおける感光体の各単位範囲に対する露光量が低減される。この場合、各単位範囲での露光量積算値が基準値よりも大きいとき（補正係数Ｑが１より小さいとき）であっても、デューティ比Ｒは、下限値ＴＨ２（たとえば７０％）よりも小さな値には下がらない。端的に言えば、露光量の低減度合いが抑制される。
【０１５０】
これによれば、現在のジョブに対して設定されている印刷画質が所定程度よりも高い場合（詳細には、第１の画質よりも高い第２の画質である場合）には、デューティ比Ｒは、下限値ＴＨ２（たとえば７０％）よりも小さな値には下がらないので、画質の確保を優先すること（画質の劣化を抑制すること）が可能である。なお、当該下限値ＴＨ２は、０％よりも大きな値である。当該下限値ＴＨ２は、２５％よりも大きな値であることが好ましく、５０％よりも大きな値であることがさらに好ましい。また、値ＴＨ１は、値ＴＨ２よりも小さな値であればよく、たとえば、「２５％」などの値であってもよい。
【０１５１】
また、上記各実施形態等においては、ステップＳ２１〜Ｓ２６（特にステップＳ２１〜Ｓ２４）（図７参照）の処理が全てのジョブについて実行される態様が例示されているが、これに限定されない。
【０１５２】
たとえば、複数のジョブのうち、印刷画質設定に関して「低画質」の画質が設定されているジョブについてのみ、上記のステップＳ２１〜Ｓ２６（特にステップＳ２１〜Ｓ２４）の処理が実行されるようにしてもよい。換言すれば、「高画質」（写真画質等）の印刷画質設定がなされているジョブに関しては、上記のステップＳ２１〜Ｓ２４の処理が実行されないようにしてもよい。より具体的には、現在のジョブに対して設定されている印刷画質が所定程度よりも高い場合には、各単位範囲での露光量積算値が基準値よりも大きいとき（補正係数Ｑが１より小さいとき）であっても、現在のジョブにおける感光体の各単位範囲に対する露光量が低減されないようにしてもよい。詳細には、ステップＳ２５において、現在のジョブにおける各画素のハーフトーン処理による二値化後の各ドットのドットサイズの最大サイズ（最大径）に対する割合を、常に１００％のまま維持するようにしてもよい。このように、基準値よりも大きな露光量積算値を有する少なくとも１つの単位範囲に関しても、露光量の低減処理が実行されないようにしてもよい。
【０１５３】
このような態様によれば、現在のジョブに対して設定されている印刷画質が所定程度よりも高い場合には、画質の確保を優先すること（画質の劣化の発生を回避すること）が可能である。
【０１５４】
なお、現在のジョブに関して設定されている印刷画質は、コントローラ１００（図２）内にて実現される印刷画質取得部（不図示）等によって取得されればよい。
【０１５５】
＜露光量積算値の更新タイミング等＞
また、上記各実施形態等では、露光量積算値Etotal、Etotal（ｘ）が各ジョブの出力完了ごとに更新（端的に言えば、ジョブ単位で更新）されているが、本発明は、これに限定されない。
【０１５６】
たとえば、露光量積算値EtotalおよびEtotal（ｘ）（あるいは露光量積算値Etotal（Ｇｉ））は、ジョブ内の各ページの出力完了ごとに更新（端的に言えば、ページ単位で更新）されてもよい。
【０１５７】
具体的には、ステップＳ２１において、各単位範囲での露光量積算値は、感光体における主走査方向位置に応じた各単位範囲での露光量積算値であって現在のジョブにおける現在のページの直前のページまでの各単位範囲での露光量積算値として取得されてもよい。
【０１５８】
詳細には、現在のジョブの或るページに関する印刷出力が実行され（前回のステップＳ２１〜ステップＳ２５が実行され）、現在のジョブの或るページまでの露光処理（画像形成処理）が終了した時点で、当該時点までの露光量積算値が更新される（ステップＳ２６）。その後、現在のジョブに関する或るページの次のページ（現在のページ）の露光処理（画像形成処理）を実行すべく、再びステップＳ２１〜ステップＳ２５が実行される。このステップＳ２１においては、前回のステップＳ２６で更新された露光量積算値が取得される。換言すれば、現在のジョブにおける現在のページの直前のページまでの露光量積算値が取得される。
【０１５９】
このようにして、各単位範囲での露光量積算値は、ページ単位で更新され、ページ単位で更新された当該露光量積算値に基づいて、現ジョブの現ページに関する露光処理が制御されてもよい。
【０１６０】
また、（上記各実施形態のように）ジョブ単位で露光量積算値を更新する第１の設定内容と（上記変形例のように）ページ単位で露光量積算値を更新する第２の設定内容とを含む複数の設定内容が変更（切替）可能であるようにしてもよい。より詳細には、ＭＦＰ１の操作部６にて表示される設定画面を用いて、当該設定内容が変更されればよい。このような設定変更処理は、コントローラ１００（図２）内にて実現される積算単位設定部（不図示）等によって行われればよい。
【０１６１】
＜ＰＷＭ制御以外の制御手法＞
また、上記実施形態においては、露光部に対するＰＷＭ制御におけるデューティー比を用いて、二値化後の各ドットのサイズ（および露光量）を制御する態様が例示されているが、これに限定されない。たとえば、露光ビームの出力時における電流等を直接的に制御することによって、露光部の光出力強度（露光ビームの強度）がその標準値に対して変更されて、二値化後の各ドットのサイズ（換言すれば、感光体の各単位範囲に対する露光量）が制御されるようにしてもよい。より詳細には、露光ビーム発光部の電流（駆動用電流）を１００％（通常時の電流値）よりも小さくすることによって、ドットサイズ（換言すれば、感光体の各単位範囲に対する露光量）を標準サイズよりも小さくするようにしてもよい。
【０１６２】
＜平均値以外の基準値＞
また、上記各実施形態等においては、「基準値」として、複数の単位範囲に関する複数の露光量積算値の平均値（主走査方向の全域に亘る複数の露光量積算値の平均値等）が採用されているが、これに限定されず、その他の値、たとえば複数の単位範囲に関する複数の露光量積算値の「中央値」等が「基準値」として採用されてもよい。
【符号の説明】
【０１６３】
１  ＭＦＰ（画像形成装置）
１０  イメージングユニット
１１  感光体
１３  露光器
１４  現像器
１５  転写器
２１  中間転写ベルト
２１０  変換テーブル
Ｐ１，Ｐ２，Ｐ３，Ｐ４  （主走査方向における）位置
【図１】
2019008197.tif 000012
【図２】
2019008197.tif 000013
【図３】
2019008197.tif 000014
【図４】
2019008197.tif 000015
【図５】
2019008197.tif 000016
【図６】
2019008197.tif 000017
【図７】
2019008197.tif 000018
【図８】
2019008197.tif 000019
【図９】
2019008197.tif 000020
【図１０】
2019008197.tif 000021
【図１１】
2019008197.tif 000022
【図１２】
2019008197.tif 000023
【図１３】
2019008197.tif 000024